(57)【要約】【課題】従来の移植機における連結苗群搬送装置が備えていた板状苗案内体、回転ベルトからなる苗案内体または苗偏倚受け止め回転体の設置を不要にし、これらから生じる諸々の不都合をなくし、連結苗群を苗分離機構に正確に搬送する。【解決手段】連結苗群Ｐを苗分離機構ｅに向け搬送するベルトコンベアｃ，ｄの無端ベルト７，１１の搬送方向の左右両側に、その無端ベルト７，１１の水平走行区間における縁部を盛り上げるベルトガイド１５，１５，１５′，１５′を設置してなる移植機における連結苗群搬送装置。【選択図】  図５
2004201596.tif 000002
【特許請求の範囲】
【請求項１】
連結苗群を苗分離機構に向け搬送するベルトコンベアの無端ベルトの搬送方向の左右両側に、その無端ベルトの水平走行区間における縁部を盛り上げるベルトガイドを設置してなることを特徴とする移植機における連結苗群搬送装置。
【請求項２】
上記ベルトガイドが、傾斜板部体をなし、無端ベルトと該無端ベルトの水平走行区間を支持する底板との間に、上記傾斜板部体を、その斜面により上記無端ベルの縁部が盛り上がる状態にして挿入位置させてなることを特徴とする請求項１記載の移植機における連結苗群搬送装置。
【請求項３】
上記ベルトガイドが、上記ベルトコンベアを架設した機台の側板の上縁板に対し、内外方向への摺動を自在にして重合緊締した主板の内端に形成されていることを特徴とする請求項１または２記載の移植機における連結苗群搬送装置。
【請求項４】
連結苗群を所定の苗箱に収容したまま受入ローラコンベアに搭載し、その受入ローラコンベアの回転ローラの回転により、連結苗群だけを転載ベルトコンベアに送出移載し、それを、さらに送出ベルトコンベアにより苗分離機構に向けて搬送するようにしたことを特徴とする請求項１，２または３記載の移植機における連結苗群搬送装置。
【発明の詳細な説明】
【０００１】
【発明の属する技術分野】
本発明は移植機における連結苗群搬送装置に関する。
【０００２】
【従来の技術】
移植機における連結苗群搬送装置として、（１）特開平４−２１０５０８号公報に記載されているものは、紙筒苗等の苗を縦横に多数列設してなる連結苗群（整列苗）から個々の苗を分離するのに、その連結苗群を一対のローラからなる個別苗分離機構（分離部）に向けて搬送するベルトの搬送方向左右両側に、一対の板状苗案内体を、連結苗群の幅よりやや広い間隔で固定設置している。
【０００３】
（２）特許第２６５２４７６号公報に記載されているものは、同じく、紙筒苗等の苗を縦横に多数列設してなる連結苗群（整列苗）から個々の苗を分離するのに、その連結苗群を一対のローラからなる個別苗分離機構（分離部）に向けて搬送するベルトの搬送方向左右両側に、一対の回転ベルトからなる苗案内体（苗案内回転体）を、連結苗群の側面に接する間隔で設けている。
【０００４】
（３）特許第２８５３０２１号公報に記載されているものは、紙筒苗等の苗を縦横に多数列設してなる連結苗群から苗を列状にすなわち列苗の状態で分離するために、その連結苗群を列苗分離機構（苗列分離部）に向けて搬送するベルトの搬送方向左右両側に、対をなすガイドベルトからなる苗偏倚受け止め回転体を、連結苗群の幅よりやや広い間隔で設けている。
【０００５】
【特許文献１】
特開平４−２１０５０８号公報
【特許文献２】
特許第２６５２４７６号公報
【特許文献３】
特許第２８５３０２１号公報
【０００６】
【発明が解決しようとする課題】
しかし、上記（１）の板状苗案内体を連結苗群の幅よりやや広い間隔で固定設置している場合には、その間隔が広すぎると、連結苗群の個別苗分離機構に対する位置がずれたり、端の苗が倒れたりすることがあり、また、上記間隔を連結苗群の幅に合わせると、その板状苗案内体に連結苗群の側面が接するために、摩擦で苗が分離されるとかすり切れたりする。
【０００７】
上記（２）の回転ベルトからなる苗案内体を設けている場合には、幅を異にする連結苗群すなわち幅広の連結苗群と幅狭の連結苗群が相前後したとき、その回転ベルトに接して案内されながら搬送される連結苗群と同回転ベルトに接せず、したがって案内されることなく搬送される連結苗群とが発生し、連結苗群の個別苗分離機構に対する位置がずれたり、端の苗が倒れたりするということがある。
【０００８】
また、上記（３）のガイドベルトからなる苗偏倚受け止め回転体を連結苗群の幅よりやや広い間隔で設けている場合には、当該移植機が傾斜地を走行するとき、連結苗群を片側のガイドベルトにだけ接触させながら搬送することになり、その分、連結苗群が偏倚した状態で列苗分離機構に搬送されることになる。
【０００９】
本発明は、上記板状苗案内体、回転ベルトからなる苗案内体または苗偏倚受け止め回転体の設置そのものを不要にして上記諸々の不都合の発生をなくし、連結苗群を個別苗分離機構または列苗分離機構に正確に搬送しようとするものである。
【００１０】
【課題を解決するための手段】
請求項１記載の本発明移植機における連結苗群搬送装置は、連結苗群Ｐを苗分離機構ｅに向け搬送するベルトコンベアｃ，ｄの無端ベルト７，１１の搬送方向の左右両側に、その無端ベルト７，１１の水平走行区間における縁部を盛り上げるベルトガイド１５，１５，１５′，１５′を設置してなるものである。
【００１１】
請求項２記載の発明は、上記ベルトガイド１５，１５，１５′，１５′が、傾斜板部体をなし、無端ベルト７，１１と該無端ベルト７，１１の水平走行区間を支持する底板８，１２との間に、上記傾斜板部体を、その斜面により上記無端ベルト７，１１の縁部が盛り上がる状態にして挿入位置させてなる請求項１記載の移植機における連結苗群搬送装置である。
【００１２】
請求項３記載の本発明は、上記ベルトガイド１５，１５，１５′，１５′が、上記ベルトコンベアｃ，ｄを架設した機台ａの側板１，１′ の上縁板１３，１３′に対し、内外方向への摺動を自在にして重合緊締した主板１４，１４′の内端に形成されている請求項１または２記載の移植機における連結苗群搬送装置である。
【００１３】
請求項４記載の本発明は、連結苗群Ｐを所定の苗箱に収容したまま受入ローラコンベアｂに搭載し、その受入ローラコンベアｂの回転ローラ３の回転により、連結苗群Ｐだけを転載ベルトコンベアｄに送出移載し、それを、さらに送出ベルトコンベアｃにより苗分離機構ｅに向けて搬送するようにした請求項１，２または３記載の移植機における連結苗群搬送装置である。
【００１４】
【発明の実施の形態】
以下本発明を図示の実施形態について説明する。
【００１５】
ａは左右の側板１，１′からなる機台、ｂはその機台ａの受入端側２に複数本の回転ローラ３を列設して形成した受入ローラコンベア、ｃは同機台ａの送出端側４に架設した送出ベルトコンベア、ｄはその送出ベルトコンベアｃと上記受入ローラコンベアｂとの間に架設した転載ベルトコンベア、ｅは、上記送出ベルトコンベアｃの送出端前側上方に架設した列苗分離機構たる苗分離機構である。
【００１６】
紙筒苗等の苗を縦横に多数列設してなる連結苗群Ｐは、所定の苗箱に収容されていて、その苗箱のまま受入ローラコンベアｂに搭載され、列設している上記回転ローラ３の回転によりその連結苗群Ｐだけが転載ベルトコンベアｄに送出移載され、さらに、送出ベルトコンベアｃへと搬送されることにより、上記苗分離機構ｅに送給され、該苗分離機構ｅにおいて列苗に分離される。
列苗は、その後、図示していない個別苗分離機構で個々の苗に分離されるとともに選別機構において良苗と不良苗に選別され、不良苗は系外に排出され、良苗だけが植付け器に送給されて圃場に移植される。
【００１７】
上記送出ベルトコンベアｃは、機台ａの上記側板１，１′間に横架した 前側ローラ５と後側ローラ５′およびテンションローラ６に無端ベルト７を回動自在に張架するとともに、その無端ベルト７の前，後側ローラ５，５′の間の水平走行区間を支える底板８を上記側板１，１′間に張架してなる。
【００１８】
また、上記転載ベルトコンベアｄは、送出ベルトコンベアｃの場合と同じように、機台ａの上記側板１，１′間に横架した前側ローラ９と後側ローラ９′およびテンションローラ１０に無端ベルト１１を回動自在に張架するとともに、 その無端ベルト１１の前，後側ローラ９，９′の間の水平走行区間を支える底板１２を上記側板１，１′間に張架してなる。
【００１９】
ｆ，ｆ′は、送出ベルトコンベアｃおよび転載ベルトコンベアｄの搬送方向の左右両側において、機台ａの側板１，１′に対し内外方向に摺動自在に設置したベルト縁盛り上げ部材である。
【００２０】
このベルト縁盛り上げ部材ｆ，ｆ′は、機台ａの上記側板１，１′ の上縁板１３，１３′に重合した細長な主板１４，１４′の内端であって、送出ベルトコンベアｃおよび転載ベルトコンベアｄに対向する部位に、該内端所要幅員を折曲して傾斜板部体としてなるベルトガイド１５，１５，１５′，１５′を備え、かつ、そのベルトガイド１５，１５，１５′，１５′を、送出ベルトコンベアｃの無端ベルト７と底板８との間、および転載ベルトコンベアｄの無端ベルト１１と底板１２との間に、上記傾斜板部体の斜面により、上記水平走行区間における各無端ベルト７，１１の縁部が盛り上がる状態にして挿入位置させている。
【００２１】
１６，１６′は、ベルト縁盛り上げ部材ｆ，ｆ′の主板１４，１４′を、機台ａの上縁板１３，１３′に緊締固定するボルト，ナットからなる係止具で、この係止具１６，１６′により、主板１４，１４′に設けた長孔１７，１７′の範囲内において、該ベルト縁盛り上げ部材ｆ，ｆ′を側板１，１′に対し内外方向に適宜摺動した位置に緊締固定でき、かつ、それによって、上記ベルトガイド１５，１５，１５′，１５′の位置を一斉に調整確定できるものである。
【００２２】
上記構成の本装置によれば、連結苗群Ｐを収容した所定の苗箱を受入ローラコンベアｂに搭載すると、連結苗群Ｐは、回転ローラ３の回転により苗箱から転載ベルトコンベアｄに、さらに、送出ベルトコンベアｃへと搬送されるものであるが、転載ベルトコンベアｄおよび送出ベルトコンベアｃは、その無端ベルト７，１１の縁部を、ベルトガイド１５，１５，１５′，１５′により盛り上げているので、当該移植機が傾斜地を走行するときに、連結苗群Ｐが片側に偏倚するようなことがあっても、その盛り上がりに接するところまでに留まる（図５）。
【００２３】
なお、上記苗分離機構ｅとしては、列苗分離機構を採用した形態について示したが、これに限らず、連結苗群から直接個々苗を分離する個別苗分離機構であってもよいこと明らかである。
【００２４】
【発明の効果】
以上述べたところから明らかなように、本発明によれば次の効果を奏する。
【００２５】
すなわち、連結苗群を苗分離機構に向け搬送するベルトコンベアの無端ベルトの搬送方向の左右両側に、その無端ベルトの水平走行区間における縁部を盛り上げるベルトガイドを設置してなるから、当該移植機が傾斜地を走行するときにおいて、連結苗群が片側に偏倚するようなことがあっても、その縁部の盛り上がりに接するところで留まり、連結苗群の搬送に支障を来すことがないとともに上記苗分離機構に向け正確に搬送供給できる。
【００２６】
したがって、従来のように、連結苗群を搬送するベルトとは別に、板状苗案内体、回転ベルトからなる苗案内体または苗偏倚受け止め回転体等を設置して、連結苗群が搬送中に偏倚するのを阻止する場合における前記のごとき諸々の不都合がない。
【００２７】
また、請求項２のように、ベルトガイドが傾斜板部体からなり、その斜面により無端ベルの縁部が盛り上がる状態にして、そのベルトガイドを、該無端ベルトとそれの水平走行区間を支持する底板との間に挿入位置させたもの、さらに、請求項３のように、上記ベルトガイドを、ベルトコンベアを架設した機台の側板の上縁板に対し、内外方向への摺動を自在にして重合緊締した主板の内端に形成したものは、構成が簡単で、製造コストが安く、故障のおそれもなく、実施上きわめて好ましいものである。
【００２８】
請求項４のものは、連結苗群を所定の苗箱に収容したまま受入ローラコンベアに搭載することにより、その後は、連結苗群だけを転載ベルトコンベアおよび送出ベルトコンベアにより所定の位置を保持しながら苗分離機構に向けて正確に搬送できる。
【図面の簡単な説明】
【図１】本発明の１実施形態に係る連結苗群搬送装置の平面図である。
【図２】同上の縦断面図である。
【図３】図１のＩ−Ｉ線一部省略断面図である。
【図４】図１のII−II線一部省略断面図である。
【図５】図１のIII−III線一部省略断面図である。
【符号の説明】
Ｐ        連結苗群
ａ        機台
ｂ        受入ローラコンベア
ｃ        送出ベルトコンベア
ｄ        転載ベルトコンベア
ｅ        列苗分離機構たる苗分離機構
ｆ，ｆ′  ベルト縁盛り上げ部材
１，１′  側板
２        受入端側
３        回転ローラ
４        送出端側
５        前側ローラ
５′      後側ローラ
６        テンションローラ
７        無端ベルト
８        底板
９        前側ローラ
９′      後側ローラ
１０      テンションローラ
１１      無端ベルト
１２      底板
１３，１３′  上縁板
１４，１４′  主板
１５，１５′  ベルトガイド
１６，１６′  係止具
１７，１７′  長孔
【図１】
2004201596.tif 000003
【図２】
2004201596.tif 000004
【図３】
2004201596.tif 000005
【図４】
2004201596.tif 000006
【図５】
2004201596.tif 000007